(57)【要約】【課題】締結、締結解除の操作が容易で、被締結部材の耐久品質に優れた締結具、およびこれを備えた長尺体などの提供。【解決手段】本発明の締結具は、長尺体としてのバンド１１，１２の所定位置にそれぞれ取り付けられる第１部材３Ａと第２部材３Ｂとを備える。この締結具によれば、第１部材３Ａと第２部材３Ｂとを相対的に回動させるだけで、係合凸部３２２が係合凹部４３２に係合してバンド１１，１２の装着が終了する。また、プッシュボタン３２１を押して係合凸部３２２を係合凹部４３２から外し、第１部材３Ａと第２部材３Ｂとを締結時とは逆方向に回動させるだけで、バンド１１，１２の締結が解除される。このように、第１部材３Ａと第２部材３Ｂとを相対的に回動させるだけで締結および締結解除の操作が可能であり、バンド１１，１２に部分的に負荷が掛からないため、バンド１１，１２の耐久品質を向上させることができる。【選択図】図１４
2008283997.tif 000002
【特許請求の範囲】
【請求項１】
２つの被締結部材にそれぞれ配設される第１部材と第２部材とを備え、これらの第１部材と第２部材とは、相対的に回動されて係合され、
前記第１部材は、
前記被締結部材における前記回動の軸に沿った方向の両側にそれぞれ設けられ開口部が形成された側壁と、これらの側壁を連結する連結部とを有する第１取付部材と、
前記第１取付部材の側壁の内側から外側へと付勢手段により付勢されるプッシュボタンと、このプッシュボタンに連動し前記第２部材に係合される係合凸部とを有し、前記プッシュボタンが前記開口部を貫通することにより、前記第１取付部材との間に前記一方の被締結部材を挟むボタンユニットと、を備え、
これらの前記第１取付部材および前記ボタンユニットは、前記一方の被締結部材の所定位置に取り付けられ、
前記第１取付部材および前記ボタンユニットの少なくとも一方は、前記回動の軸に沿った回動軸部を有し、
前記係合凸部は、前記第１部材が前記第２部材側に回動された際に前記付勢手段による付勢方向基端側から先端側に向かって前記第２部材に係合され、
前記第２部材は、
前記他方の被締結部材の所定位置に取り付けられ、
前記回動軸部を回動可能に支持する支持部と、前記係合凸部が係合される係合凹部とを有する
ことを特徴とする締結具。
【請求項２】
請求項１に記載の締結具において、
前記一方の被締結部材よりも前記装着対象側に前記他方の被締結部材が配置され、かつ前記回動軸部を前記支持部に前記装着対象とは反対側から支持させた状態で、前記第１部材と前記第２部材とが相対的に回動される
ことを特徴とする締結具。
【請求項３】
請求項１または２に記載の締結具において、
前記支持部は、前記回動の軸に沿って形成され、
前記第２部材は、前記支持部と、前記支持部の両端側でそれぞれ前記支持部と交差する各側壁とを有し、
前記係合凹部は、前記第２部材の側壁に形成され、
前記係合凸部は、前記第１部材と前記第２部材とが相対的に回動された際における前記プッシュボタンの前記第２部材側に形成されている
ことを特徴とする締結具。
【請求項４】
請求項３に記載の締結具において、
前記ボタンユニットは、前記プッシュボタンを保持するボタンユニット枠を有し、
前記ボタンユニット枠は、板状部材の曲げにより前記回動の軸に沿った方向に開口する略筒状に形成されて前記プッシュボタンが配置される枠体部と、前記板状部材が前記回動の軸に沿って曲げられ重ね合わせられることにより前記枠体部の外側に連設される重ね合わせ部とを有し、
前記回動軸部は、前記重ね合わせ部と、前記枠体部において前記重ね合わせ部から立ち上がる立ち上がり部とを含んで形成されている
ことを特徴とする締結具。
【請求項５】
請求項３または４に記載の締結具において、
前記プッシュボタンは、前記第１取付部材の側壁の起立方向にほぼ沿った方向に板状部材が重ね合わせられて形成され、
前記係合凸部は、前記プッシュボタンを構成する板状部材において前記相対的に回動される際に前記第２部材側となる一部を立ち上げ、かつ前記第２部材の前記側壁の内側から外側に向かって曲げることにより形成されている
ことを特徴とする締結具。
【請求項６】
請求項３から５のいずれかに記載の締結具において、
前記係合凸部および前記第２部材の側壁の少なくとも一方には、前記相対的に回動されることにより前記係合凸部と前記第２部材の側壁とが当接した際に前記付勢手段による付勢力に抗して分力が作用する方向に傾斜する斜面が形成されている
ことを特徴とする締結具。
【請求項７】
請求項１または２に記載の締結具において、
前記支持部は、前記回動の軸に沿って形成され、
前記第２部材は、前記支持部と、前記支持部の両端側でそれぞれ前記支持部と交差する各側壁と、前記各側壁のそれぞれにおける前記支持部とは反対側の部分を繋いで前記支持部と略平行に延びる延出部とを有し、
前記係合凹部は、前記延出部に形成され、
前記係合凸部は、前記プッシュボタンの前記回動軸部側とは反対側に形成されている
ことを特徴とする締結具。
【請求項８】
請求項７に記載の締結具において、
前記係合凹部は、前記延出部を前記相対的に回動される際の回動方向にほぼ沿って貫通し、
前記係合凸部は、前記付勢手段による付勢力に抗して押されていない状態で、前記係合凹部における前記付勢方向先端側の端部に重なり、
前記係合凸部と、前記係合凹部の前記端部との少なくとも一方には、前記相対的に回動されることにより前記係合凸部が前記係合凹部の前記端部に当接した際に前記付勢手段による付勢力に抗して分力が作用する方向に傾斜する斜面が形成されている
ことを特徴とする締結具。
【請求項９】
請求項１から８のいずれかに記載の締結具において、
前記各被締結部材における前記回動の軸と交差する方向の一端部はそれぞれ、前記第１部材と前記第２部材との係合により締結される開放端部とされ、
前記回動軸部は、前記第１部材における前記一方の被締結部材の開放端部とは反対側の部分に配置され、
前記支持部は、前記第２部材における前記他方の被締結部材の開放端部側の部分に配置されている
ことを特徴とする締結具。
【請求項１０】
請求項１から９のいずれかに記載の締結具において、
前記第１部材の連結部、および前記ボタンユニットの一方は、他方に向かって突出する突起を有し、
前記突起は、前記一方の被締結部材に形成された孔に挿入される
ことを特徴とする締結具。
【請求項１１】
請求項１から１０のいずれかに記載の締結具において、
前記第２部材は、筒体に挿入された棒状部材がばねにより出没自在とされたばね棒を有し、前記ばね棒によって前記他方の被締結部材に取り付けられている
ことを特徴とする締結具。
【請求項１２】
請求項１から１１のいずれかに記載の締結具を備えた
ことを特徴とする長尺体。
【請求項１３】
請求項１２に記載の長尺体を備えた
ことを特徴とする携帯機器。
【請求項１４】
請求項１２に記載の長尺体を備え、
前記長尺体は、時計の外装ケースに連結されている
ことを特徴とする時計。
【請求項１５】
請求項１４に記載の時計において、
前記長尺体は、時計バンドである
ことを特徴とする時計。
【請求項１６】
請求項１２に記載の長尺体を備え、この長尺体により装着される
ことを特徴とする装身具。
【発明の詳細な説明】
【技術分野】
【０００１】
本発明は、バンド等の被締結部材を締結する締結具に関する。また、この締結具を備えた長尺体や、この長尺体を備えた携帯機器、時計、および装身具などに関する。
【背景技術】
【０００２】
従来、時計バンドの開放端同士を締結するタイプの中留として、例えばつく棒（突棒）が突設されバンドに回動自在に設けられるフレームと、ばね力でつく棒を係止するプッシュ中留部材とを備えたものが知られている（特許文献１）。
このような中留のつく棒は、フレームから立ち上がる小径部と、小径部から膨出した大径部とを有する。そして、中留を留める際には、つく棒をバンドの孔に挿通し、バンドの孔から突出したつく棒の大径部をプッシュ中留部材の穴に係合させる。
【０００３】
【特許文献１】特開平１０−２８６０５号公報
【発明の開示】
【発明が解決しようとする課題】
【０００４】
しかしながら、特許文献１のような中留には、次のような課題がある。
（１）腕への着脱の都度、バンドの孔につく棒を抜き挿ししなくてはならず、バンドの孔からつく棒を抜く際に、つく棒の大径部がバンド裏面側でバンド孔の周縁に引っ掛かるので、バンド孔の近傍が傷みやすい。具体的に、バンドで装着された時計の携帯時にはバンドの剛性によって引張力が作用するため、つく棒の軸とバンド孔の中心とがずれてつく棒の小径部がバンド孔の内周面に当接し、バンド孔の周縁に大径部が引っ掛かった状態からつく棒を抜くため、バンド孔の近傍が傷みやすい。
このように、バンド孔の位置でつく棒とプッシュ中留部材とを係合させる構成では、着脱時にバンドの一部分のみに負荷が掛かるため、バンドの耐久性が低い。
【０００５】
（２）つく棒をバンド孔に挿入する際に、つく棒とバンド孔との位置の見当を付けづらいため、装着操作が困難である。すなわち、バンドの開放端同士を締結する場合はバンドとバンドとの位置決めが必要であり、一方のバンドに設けられたつく棒と他方のバンドの孔との位置を合わせなくてはならないが、つく棒がフレームの裏側に隠れて見えづらい。
なお、特許文献１とは反対側の位置につく棒が設けられた構成、例えば腕に当接するプレート部材などにつく棒が突設され、このプレートにバンドを被せるようにしてバンド孔につく棒を挿通させる構成の場合なども、バンドの裏側につく棒が隠れるため、つく棒とバンド孔との位置を合わせづらいという事情は変わらず、装着操作が困難である。
また、バンドには複数の孔が形成されており、腕への着脱の都度、所定の孔につく棒を挿通できるとは限らないため、締結時のバンドの長さが所望の長さとならない場合がある。
【０００６】
そこで、本発明の目的は、締結操作および締結解除の操作が容易で、かつバンド等の被締結部材の耐久品質に優れた締結具、この締結具を備えた長尺体、およびこの長尺体を備えた携帯機器、時計、並びに装身具を提供することにある。
【課題を解決するための手段】
【０００７】
本発明の締結具は、２つの被締結部材にそれぞれ配設される第１部材と第２部材とを備え、これらの第１部材と第２部材とは、相対的に回動されて係合され、前記第１部材は、前記被締結部材における前記回動の軸に沿った方向の両側にそれぞれ設けられ開口部が形成された側壁と、これらの側壁を連結する連結部とを有する第１取付部材と、前記第１取付部材の側壁の内側から外側へと付勢手段により付勢されるプッシュボタンと、このプッシュボタンに連動し前記第２部材に係合される係合凸部とを有し、前記プッシュボタンが前記開口部を貫通することにより、前記第１取付部材との間に前記一方の被締結部材を挟むボタンユニットと、を備え、これらの前記第１取付部材および前記ボタンユニットは、前記一方の被締結部材の所定位置に取り付けられ、前記第１取付部材および前記ボタンユニットの少なくとも一方は、前記回動の軸に沿った回動軸部を有し、前記係合凸部は、前記第１部材が前記第２部材側に回動された際に前記付勢手段による付勢方向基端側から先端側に向かって前記第２部材に係合され、前記第２部材は、前記他方の被締結部材の所定位置に取り付けられ、前記回動軸部を回動可能に支持する支持部と、前記係合凸部が係合される係合凹部とを有することを特徴とする。
【０００８】
以下では、便宜上、被締結部材のことをバンドと称するが、本発明における被締結部材はバンドに限らない。すなわち、本発明の締結具は、各被締結部材にそれぞれ配設された第１部材と第２部材とが相対的に回動されて係合される構造に特徴を有しており、被締結部材の形状等は、第１部材と第２部材とが相対的に回動可能である限り、任意に構成できる。なお、被締結部材は、部材の部分であってもよい。
【０００９】
本発明において、一方のバンド（被締結部材）に第１部材を取り付ける際は、第１取付部材とボタンユニットとの間に当該バンドを挟み、ボタンを第１取付部材の側壁の内側に押し込んだ状態でボタンユニットを第１取付部材の側壁間に配置し、側壁の開口部から第１取付部材の側壁の外側にボタンを突出させる。
なお、第１取付部材およびボタンユニットは、適宜な手段によってバンドの所定位置に取り付けられている。例えば、これらの第１取付部材およびボタンユニットの一方に、他方との間にバンドを押圧保持する突起やくさびなどが設けられていてもよい。
また、他方のバンドに第２部材を取り付ける際は、第２部材を適宜な手段によって当該バンドの所定位置に取り付ける。例えば、他方のバンドの幅方向（回動の軸に沿った方向）に沿って設けられた棒状部材の両端部をそれぞれ第２部材に取り付ける。
【００１０】
このように本発明では、各バンドの所定位置に第１部材と第２部材とがそれぞれ取り付けられており、前記回動軸部を支持部に支持させた状態で第１部材と第２部材とを相対的に回動させることにより、係合凸部が係合凹部に係合され、締結が終了する。
すなわち、第１部材および第２部材によってバンド同士の締結位置が規定されているため、締結時のバンド同士の位置決めは不要であり、第２部材の支持部をガイドとして第１部材と第２部材とを相対的に回動させる操作だけで、バンド装着の都度、所望のバンド長さで、バンドの締結操作を簡単に行うことができる。
一方、プッシュボタンを押すことにより、係合凸部が回動の軸方向内側に押されて係合凸部と係合凹部との係合を解除することができ、第１部材と第２部材とを締結時とは反対側に回動すればバンド同士が離間するので、バンドの締結を解除する操作も簡単に行うことができる。
【００１１】
加えて、本発明では、各バンドのそれぞれに配設された第１部材と第２部材とを回動させるだけで締結操作および締結解除の操作が可能であって、バンドを着脱する都度、バンドの孔につく棒が挿通される従来例のようにバンドに部分的に負荷が掛からないため、バンドの耐久品質を向上させることができる。
【００１２】
本発明の締結具では、前記一方の被締結部材よりも前記装着対象側に前記他方の被締結部材が配置され、かつ前記回動軸部を前記支持部に前記装着対象とは反対側から支持させた状態で、前記第１部材と前記第２部材とが相対的に回動されることが好ましい。
【００１３】
この発明によれば、第２部材の支持部に第１部材の回動軸部を装着対象とは反対側から支持させて、第１部材を装着対象側に倒すようにして回動させることにより、第１部材と第２部材とが係合される。これにより、片手で簡単にバンドの締結操作を行うことができる。
なお、バンドの装着対象は、例えば腕であり、バンドの厚み方向において、装着対象側から、ボタンユニット、一方のバンド、第１取付部材の連結部の順に配置される。
【００１４】
本発明の締結具では、前記支持部は、前記回動の軸に沿って形成され、前記第２部材は、前記支持部と、前記支持部の両端側でそれぞれ前記支持部と交差する各側壁とを有し、前記係合凹部は、前記第２部材の側壁に形成され、前記係合凸部は、前記第１部材と前記第２部材とが相対的に回動された際における前記プッシュボタンの前記第２部材側に形成されていることが好ましい。
【００１５】
この発明によれば、係合凸部が第２部材の側壁の係合凹部に係合された状態において、支持部と各側壁との内側にボタンユニットの一部が収容されるので、締結具が嵩張らず、薄型化が可能となる。
また、締結時の回動方向前方側となるプッシュボタンの裏側など、目立たない位置に係合凸部を設けることが可能となる。
【００１６】
本発明の締結具では、前記ボタンユニットは、前記プッシュボタンを保持するボタンユニット枠を有し、前記ボタンユニット枠は、板状部材の曲げにより前記回動の軸に沿った方向に開口する略筒状に形成されて前記プッシュボタンが配置される枠体部と、前記板状部材が前記回動の軸に沿って曲げられ重ね合わせられることにより前記枠体部の外側に連設される重ね合わせ部とを有し、前記回動軸部は、前記重ね合わせ部と、前記枠体部において前記重ね合わせ部から立ち上がる立ち上がり部とを含んで形成されていることが好ましい。
【００１７】
この発明によれば、プッシュボタンを保持するボタンユニット枠を利用して回動軸部を簡略に形成することが可能となる。
ここで、ボタンユニットが回動軸部と係合凸部との両方を有しているため、回動軸部を第１取付部材に具備させた場合よりも回動軸部と係合凸部との位置関係を規律し易くなる。これにより、回動操作による係合をより確実に行うことができる。
【００１８】
本発明の締結具では、前記プッシュボタンは、前記第１取付部材の側壁の起立方向にほぼ沿った方向に板状部材が重ね合わせられて形成され、前記係合凸部は、前記プッシュボタンを構成する板状部材において前記相対的に回動される際に前記第２部材側となる一部を立ち上げ、かつ前記第２部材の前記側壁の内側から外側に向かって曲げることにより形成されていることが好ましい。
【００１９】
この発明によれば、板状部材の曲げ加工により、第１取付部材の側壁と第２部材の側壁とにそれぞれ係合させるように、プッシュボタンと係合凸部とが同じ方向に突出する構成を容易に形成できる。
また、曲げ加工で形成された係合凸部の弾性により、係合凸部を係合凹部に係合させ易い。
【００２０】
本発明の締結具では、前記係合凸部および前記第２部材の側壁の少なくとも一方には、前記相対的に回動されることにより前記係合凸部と前記第２部材の側壁とが当接した際に前記付勢手段による付勢力に抗して分力が作用する方向に傾斜する斜面が形成されていることが好ましい。
【００２１】
この発明によれば、第１部材と第２部材との相対回動時に係合凸部が第２部材の側壁に当接した際に、前記斜面を介した分力によって係合凸部が付勢力に抗する方向に押され、係合凹部に係合凸部が案内されるので、第１部材と第２部材とを回動させる操作を円滑に行うことができる。
なお、前記斜面は、傾斜角度が一定の直線的なテーパ形状とされていてもよいし、傾斜角度が一定でない曲面形状（Ｒ形状）とされていてもよい。
【００２２】
本発明の締結具では、前記支持部は、前記回動の軸に沿って形成され、前記第２部材は、前記支持部と、前記支持部の両端側でそれぞれ前記支持部と交差する各側壁と、前記各側壁のそれぞれにおける前記支持部とは反対側の部分を繋いで前記支持部と略平行に延びる延出部とを有し、前記係合凹部は、前記延出部に形成され、前記係合凸部は、前記プッシュボタンの前記回動軸部側とは反対側に形成されていることが好ましい。
【００２３】
この発明によれば、支持部と各側壁と延出部とで略矩形状に形成された部分の内側にボタンユニットの一部を収容可能となるので、締結具が嵩張らず、薄型化が可能となる。
また、回動の軸と交差する方向において、プッシュボタンの位置と揃った位置に係合凸部を形成することが可能となるので、プッシュボタンと係合凸部とを、板状の一体の部材の一部としてそれぞれ、簡略に形成することが可能となる。
【００２４】
本発明の締結具では、前記係合凹部は、前記延出部を前記相対的に回動される際の回動方向にほぼ沿って貫通し、前記係合凸部は、前記付勢手段による付勢力に抗して押されていない状態で、前記係合凹部における前記付勢方向先端側の端部に重なり、前記係合凸部と、前記係合凹部の前記端部との少なくとも一方には、前記相対的に回動されることにより前記係合凸部が前記係合凹部の前記端部に当接した際に前記付勢手段による付勢力に抗して分力が作用する方向に傾斜する斜面が形成されていることが好ましい。
【００２５】
この発明によれば、相対回動時に係合凸部が係合凹部の端部に当接した際に、前記斜面を介した分力によって係合凸部が押された状態となり係合凹部に円滑に挿入されるとともに、係合凹部に挿入された後、係合凸部は付勢手段の付勢力によって係合凹部の端部に重なる位置に戻る。すなわち、係合凸部を係合凹部に係合させ易く、かつ外れにくい構造にできる。
なお、前記斜面は、傾斜角度が一定の直線的なテーパ形状とされていてもよいし、傾斜角度が一定でない曲面形状（Ｒ形状）とされていてもよい。
【００２６】
本発明の締結具では、前記各被締結部材における前記回動の軸と交差する方向の一端部はそれぞれ、前記第１部材と前記第２部材との係合により締結される開放端部とされ、前記回動軸部は、前記第１部材における前記一方の被締結部材の開放端部とは反対側の部分に配置され、前記支持部は、前記第２部材における前記他方の被締結部材の開放端部側の部分に配置されていることが好ましい。
【００２７】
この発明によれば、回動の軸に交差する方向における回動軸部と支持部との前記位置関係により、回動軸部が支持部に支持された状態で第１部材と第２部材とを相対的に回動させる際に、バンド同士に働く引張力が回動軸部が支持部側に押圧される方向に作用する。これにより、回動軸部が支持部に安定的に支持された状態で、第１部材と第２部材とを回動させることが可能となる。
【００２８】
本発明の締結具では、前記第１部材の連結部、および前記ボタンユニットの一方は、他方に向かって突出する突起を有し、前記突起は、前記一方の被締結部材に形成された孔に挿入されることが好ましい。
【００２９】
この発明によれば、突起がバンドの孔に挿入されることにより、第１取付部材およびボタンユニットに対するバンドの平面位置が決まるので、第１取付部材およびボタンユニットをバンドの所定位置に確実に取り付けることが可能となる。
なお、突起の径は一定とされていてよい。
【００３０】
本発明の締結具では、前記第２部材は、筒体に挿入された棒状部材がばねにより出没自在とされたばね棒を有し、前記ばね棒によって前記他方の被締結部材に取り付けられていることが好ましい。
【００３１】
この発明によれば、ばね棒によって第２部材をバンドに着脱自在に取り付けられるので、バンド交換が容易となる。
【００３２】
本発明の長尺体は、前述の締結具を備えたことを特徴とする。
この発明によれば、前述した締結具を備えるため、前述と同様の作用および効果を享受できる。
【００３３】
本発明の携帯機器は、前述の長尺体を備えたことを特徴とする。
この発明によれば、前述した締結具を有する長尺体を備えるため、前述と同様の作用および効果を享受できる。
ここで、携帯機器としては、情報機器、通信機器、メモリカード、カメラ、計測機器などを例示できる。
【００３４】
本発明の時計は、前述の長尺体を備え、前記長尺体は、時計の外装ケースに連結されていることを特徴とする。
この発明によれば、前述した締結具を有する長尺体を備えるため、前述と同様の作用および効果を享受できる。
ここで、前記長尺体は、時計バンドであることが好ましい。
なお、時計バンドの材質等は問わず、時計バンドは、革製バンド、布製バンド、樹脂製バンド、金属製バンド等であってよい。
【００３５】
本発明の装身具は、前述の長尺体を備え、この長尺体により装着されることを特徴とする。
この発明によれば、前述した締結具を有する長尺体を備えるため、前述と同様の作用および効果を享受できる。
【発明の効果】
【００３６】
以上の本発明によれば、簡単な操作で締結および締結解除の操作を行うことができ、かつバンド等の被締結部材に部分的に負荷が掛からないため被締結部材の耐久性を大きく向上させることができる。
【発明を実施するための最良の形態】
【００３７】
以下、図面を参照して本発明の各実施形態について説明する。
なお、第２実施形態以降の説明において、以下に説明する第１実施形態と同様の構成については、同一符号を付して、説明を省略もしくは簡略化する。
【００３８】
［第１実施形態］
本発明の第１実施形態を説明する。
〔１．全体構成〕
図１は、本実施形態に係る腕時計１の側面図である。この時計１は、図示しない時計体と、時計体を収納する外装ケース２と、このケース２の６時側と１２時側とにそれぞれ連結される革製の時計バンド１１，１２とを備えている。バンド１１，１２のケース２に連結される基端部１１Ａ，１２Ａ側と反対側の開放端部１１Ｂ，１２Ｂは、締結具としての中留３によって締結されている。
【００３９】
〔２．中留の構成〕
図２は、中留３の斜視図である。中留３は、締結時のバンド長さ調整用の複数の係合孔１１１が形成された６時側バンド１１に取り付けられる第１部材３Ａと、１２時側バンド１２に取り付けられる第２部材３Ｂとを備え、これらの第１、第２部材３Ａ，３Ｂが互いに係合されることにより、バンド１１，１２が締結されている。図２は、第１部材３Ａと第２部材３Ｂとが係合しバンド１１，１２が締結された状態を示し、図３は、第１部材３Ａと第２部材３Ｂとの係合が解除された状態を示す。
【００４０】
本実施形態では、６時側バンド１１および１２時側バンド１２のいずれも、帯状の長尺体であるが、本実施形態の中留３で締結可能な時計バンドは、このような帯状体に限らず、適宜な長尺体であってよい。
ここで、長尺体とは、幅寸法よりも長さ寸法が上回っており長さ方向を有する部材をいい、長尺体には、帯状体や板状体などが含まれる。
なお、中留３で締結可能な時計バンドは、長尺体に限らず、例えば、時計の外装ケースに連結されるブロック状の連結部と、この連結部から外装ケースとは反対側に延出する延出部とを備え、延出部に中留の部材が配設されるものなどであってもよい。
また、６時側バンドと１２時側バンドとは必ずしも同様の形状に構成されていなくてもよい。すなわち、その一方が長尺体とされ、他方が長尺体でない任意の形状とされていてもよい。
【００４１】
〔３．第１部材の構成〕
図３に示すように、第１部材３Ａは、６時側バンド１１の幅方向に沿って設けられる第１取付部材２０と、この第１取付部材２０との間に６時側バンド１１を挟み、かつプッシュボタン３２１を有するボタンユニット３０とを備えている。
〔３−１．第１取付部材の構成〕
図４は、第１取付部材２０を示す。第１取付部材２０は、バンド１１（図３）の幅方向両側でバンド１１の厚み方向にほぼ沿ってそれぞれ起立する側壁２１，２１と、これらの側壁２１，２１を連結する連結部２２とを有して断面略コ字状に形成されている。
側壁２１，２１にはそれぞれ、略矩形状の開口部２１１が貫通形成されている。
【００４２】
〔３−２．ボタンユニットの構成〕
図５は、ボタンユニット３０の斜視図であり、図６は、ボタンユニット３０の底面側の斜視図である。また、図７は、ボタンユニット３０の側面図である。
さらに、図８は、ボタンユニット３０の内部を示し、図９は、図８のIX−IX線におけるボタンユニット３０の一部断面側面図である。なお、図８では、ボタンユニット３０のボタンユニット枠３１を破断している。
図５、図８に示すように、ボタンユニット３０は、第１取付部材２０（図４）の側壁２１，２１間に配置される略筒状のボタンユニット枠３１と、ボタンユニット枠３１の両端の開口からそれぞれ突出するボタン部材３２，３２と、ボタンユニット枠３１の底面に固定されボタンユニット枠３１の上面から突出する突起３３と、圧縮コイルばね３４，３４とを有して構成されている。
【００４３】
〔ボタンユニット枠の構成〕
ボタンユニット枠３１は、図５、図７に示すように、金属薄板を用いた曲げ加工によって断面略矩形状に形成されその内部にボタン部材３２を保持する枠体部３１１と、この枠体部３１１を構成する金属薄板を枠体部３１１の外側で折り曲げて重ね合わせることによって枠体部３１１の外側に連設された重ね合わせ部３１２とを有している。
【００４４】
枠体部３１１における薄板端部の突き合わせ部には、図５に示すように、突起３３を通す孔３１１Ａが形成されている。
また、図６、図９に示すように、枠体部３１１の底面には、当該枠体部３１１の両端側の開口からそれぞれ枠体部３１１の内側に向かって切欠３１１Ｂ，３１１Ｂが形成されている。さらに、枠体部３１１の底面の一部が切り起こされることにより、各ボタン部材３２をそれぞれ係止するストッパ３１１Ｃ，３１１Ｃが形成されている。
【００４５】
重ね合わせ部３１２は、図７に示すように、枠体部３１１の底面部３１１Ｄに沿って延出するとともに、ボタンユニット枠３１の長さ方向に沿って折り曲げられて形成されている。枠体部３１１には、この重ね合わせ部３１２から略直角に立ち上がる立ち上がり部３１３が形成されており、この立ち上がり部３１３と重ね合わせ部３１２とは、後述するようにボタンユニット３０が第２部材３Ｂに支持された状態で第２部材３Ｂ側に回動される際の回動軸部とされている。
【００４６】
〔ボタン部材の構成〕
次に、各ボタン部材３２は、図８に示すように、金属薄板が折り曲げられ重ね合わせられて形成されており、各ボタン部材３２の先端側に形成されるプッシュボタン３２１と、ボタン部材３２を構成する裏側の薄板が切り起こされた係合凸部３２２（図６）とを有している。本実施形態の各ボタン部材３２は、平面視略十字形状に形成されている。
これらのボタン部材３２，３２は、図８のようにコイルばね３４，３４によってボタンユニット枠３１の両端の開口の内側から外側に向かって付勢されている。なお、図６に示すように、係合凸部３２２が切り起こされて形成された孔３２４に前記ストッパ３１１Ｃが挿入されており、これによってボタン部材３２，３２はボタンユニット枠３１に係止されている。
コイルばね３４，３４（図８）はそれぞれ、ボタンユニット枠３１の両側面部側で、ボタン部材３２，３２のそれぞれに形成された切欠３２５，３２５の間に配置されている。
【００４７】
プッシュボタン３２１は、図８に示すように、幅方向両側に切欠３２０，３２０が形成されることにより、平面矩形状に形成され、第１取付部材２０（図４）の側壁２１に形成された開口部２１１の内側から外側に突出する。このプッシュボタン３２１は、開口部２１１の高さよりも若干小さい厚さで、かつ開口部２１１の幅よりも若干小さい幅で形成されている。
ここで、ストッパ３１１Ｃが挿入される前記孔３２４の寸法は、両側のプッシュボタン３２１，３２１をバンド１１（図３）の幅方向内側に押し込んだ際に、側壁２１，２１の内面間の寸法よりもプッシュボタン３２１，３２１の先端間の寸法が小さくなり開口部２１１から各プッシュボタン３２１が外れるプッシュボタン３２１の最大押し込み量を実現する寸法で形成されている。
なお、プッシュボタン３２１をコイルばね３４のばね力に抗して押していない状態では、コイルばね３４のばね力により、図９のようにストッパ３１１Ｃが孔３２４の内壁に当接していることが好ましい。これにより、プッシュボタン３２１の遊びをなくすことができる。
【００４８】
係合凸部３２２は、図９に示すように、薄板の他の部分に対して略直角をなす立ち上がり片３２２Ａと、この立ち上がり片３２２Ａからプッシュボタン３２１の先端側に向かって折り曲げられた折り曲げ片３２２Ｂとを有して断面略Ｌ字状に形成されている。この係合凸部３２２は、ボタンユニット枠３１の切欠３１１Ｂに挿入されており、プッシュボタン３２１の押し込みおよび押し込み解除の操作に連動する。
【００４９】
そして、突起３３は、バンド１１（図３）の係合孔１１１の径と略同径の円柱形状とされ、ボタンユニット枠３１の底面にかしめ固定されている。なお、かしめ固定に限らず、突起３３は、例えばレーザ溶接などによってボタンユニット枠３１の底面に固定されていてもよい。この突起３３は、ボタンユニット枠３１の上面から突出しており、バンド１１に形成された複数の係合孔１１１の１つに挿入されるが、その高さはバンド１１の厚みと同じである必要はない。
【００５０】
〔３−３．第１部材のバンドへの取付〕
図１０、図１１は、第１取付部材２０およびボタンユニット３０の６時側バンド１１への取付態様を示す。このバンド１１の表面側には第１取付部材２０が配置され、腕に接触する側であるバンド１１の裏面側にはボタンユニット３０が配置され、これら第１取付部材２０とボタンユニット３０との間にバンド１１が介装される。なお、第１取付部材２０とボタンユニット３０とは、締結時のバンドの長さに応じて選択された所定の係合孔１１１の位置でバンド１１に取り付けられる。
【００５１】
この第１取付部材２０およびボタンユニット３０をバンド１１に取り付ける際は、図１０に示すように所定の係合孔１１１に突起３３を挿入し、両方のプッシュボタン３２１，３２１をバンド１１の幅方向内側に押し込んだ状態で第１取付部材２０の側壁２１，２１間にボタンユニット３０を配置し、図１１のように、側壁２１の開口部２１１からプッシュボタン３２１を突出させる。
ここで、バンド１１は第１取付部材２０とボタンユニット３０との間に挟まれており、第１取付部材２０とボタンユニット３０との間で突起３３が係合孔１１１に挿入されているため、突起３３は係合孔１１１から抜け出ず、第１取付部材２０およびボタンユニット３０に対するバンド１１の平面位置が決まる。すなわち、第１取付部材２０およびボタンユニット３０がバンド１１の所定位置に固定されることになる。
【００５２】
なお、第１取付部材２０およびボタンユニット３０のバンド１１への取付位置を調整する際には、プッシュボタン３２１，３２１を側壁２１，２１の内側に押し込んで開口部２１１から外す。そして、突起３３をバンド１１に形成された他の係合孔１１１に挿入してから、プッシュボタン３２１，３２１を押し込んで開口部２１１から突出させればよい。
【００５３】
〔４．第２部材の構成〕
次に、１２時側バンド１２（図２）に取り付けられる第２部材３Ｂの構成を説明する。
図１２は、第２部材３Ｂの分解斜視図である。第２部材３Ｂは、１２時側バンド１２に取り付けられる略矩形状の第２取付部材４０と、ばね棒５０とを有して構成されている。
ばね棒５０は、バンド１２の端部の革が巻かれて形成された孔１２１に挿通される筒体５１と、筒体５１の両端部にそれぞれ挿入され筒体５１内部のばねによって筒体５１の端部から出没自在とされた棒状部材５２，５２とを有している。
【００５４】
第２取付部材４０は、バンド１２の幅方向両側に設けられバンド１２の厚み方向にほぼ沿ってそれぞれ起立する側壁４３，４３と、側壁４３，４３の上端に架設される第１桟４１および第２桟４２とを有している。
【００５５】
第１桟４１は、後述するように第１部材３Ａが第２部材３Ｂ側に回動される際に、ボタンユニット３０（図５）の立ち上がり部３１３と重ね合わせ部３１２とを回動可能に支持する支持部とされている。
第２桟４２は、ばね棒５０に沿って設けられ、第２取付部材４０を補強している。ここで、バンド長さ方向における第１桟４１と第２桟４２との間の寸法は、ボタンユニット枠３１（図５）におけるバンド１１先端側の側面３１４と、立ち上がり部３１３との間の寸法よりも若干大きくなっている。
【００５６】
また、各側壁４３には、ばね棒５０の棒状部材５２が係止される孔４３１と、前述のボタンユニット３０（図５）の係合凸部３２２が挿入される係合凹部４３２と、係合凹部４３２の上側となる側壁４３上端部で側壁４３の外側から内側に向かって下るテーパ面（斜面）４３３とが形成されている。ここで、ボタンユニット３０（図５）のプッシュボタン３２１が押されていない状態で、バンド１２の幅方向におけるテーパ面４３３，４３３の位置は、ボタンユニット３０（図５）の係合凸部３２２，３２２の位置と対応している。
【００５７】
図１３は、第２取付部材４０をばね棒５０によってバンド１２に取り付けた状態を示す。第２取付部材４０をバンド１２に取り付ける際は、バンド１２の孔１２１（図１２）にばね棒５０を通し、棒状部材５２，５２を筒体５１の内部に没入させた状態でばね棒５０の両端側に第２取付部材４０の側壁４３，４３を配置し、各棒状部材５２をそれぞれ側壁４３の孔４３１に係止させる。
【００５８】
〔５．中留によるバンドの締結操作〕
次に、図１４〜図１７を参照し、中留３でバンド１１，１２を締結して時計１を腕（装着対象）に装着する操作について説明する。
図１４に示すように、６時側バンド１１よりも腕側に１２時側バンド１２を配置し、１２時側バンド１２の上に６時側バンド１１を被せるようにして、第１部材３Ａと第２部材３Ｂとを係合させる。
ここで、６時側バンド１１の裏側に配置されたボタンユニット３０の重ね合わせ部３１２を第２部材３Ｂの第１桟４１の下面に引っ掛けることにより、重ね合わせ部３１２および立ち上がり部３１３が第１桟４１に回動可能に支持された状態となる。
図１５は、この状態における時計１の側面を示す。バンド１１，１２同士に働く引張力が、回動軸部としての重ね合わせ部３１２および立ち上がり部３１３（図１４）を第１桟４１側に押圧する方向に作用するため、重ね合わせ部３１２および立ち上がり部３１３が第１桟４１に安定的に支持される。
【００５９】
次いで、重ね合わせ部３１２および立ち上がり部３１３（図１４）を回動中心として、第１部材３Ａを第２部材３Ｂ側に（図１４の円弧状の矢印方向に）回動させる。図１４に、この際の回動軸Ａを示す。このように第１部材３Ａと第２部材３Ｂとを相対的に回動させる際、第１部材３Ａにおける回動方向前方側に、係合凸部３２２が突出する。
図１６は、第１取付部材２０、ボタンユニット３０、および第２取付部材４０の一部断面側面図であり、回動軸Ａ（図１４）を回転中心に第１部材３Ａを第２取付部材４０側に回動させると、係合凸部３２２が第２取付部材４０のテーパ面４３３，４３３に当接する。
この当接の際、図１６に示すように、側壁４３の起立方向にほぼ沿った方向に作用する力の分力によって係合凸部３２２がバンド１１の幅方向内側に押されて側壁４３の内側に案内されるので、図１７に示すように、係合凸部３２２は側壁４３の内側から係合凹部４３２に挿入される。このように、係合凸部３２２が側壁４３の内側から外側に向かって係合凹部４３２に係合されることによって、バンド１１，１２は締結される。言い換えると、係合凸部３２２は、コイルばね３４（図８）の付勢方向基端側から付勢方向先端側に向かって係合凹部４３２に係合される。
なお、係合凸部３２２が係合凹部４３２に係合されると、ボタンユニット枠３１の一部が第２取付部材４０の側壁４３，４３と、第１桟４１、第２桟４２（図１４）との内側に収容される。
【００６０】
バンド１１，１２の締結を解除する際は、両方のプッシュボタン３２１，３２１をバンド１１の幅方向内側に向かって押す。このプッシュボタン３２１，３２１の押圧操作に連動して係合凸部３２２，３２２がバンド１１の幅方向内側にそれぞれ引っ込み、係合凹部４３２から外れるため、プッシュボタン３２１，３２１を押して把持したまま第１部材３Ａを持ち上げるようにして、第１部材３Ａと第２部材３Ｂとを締結時とは逆方向に相対的に回動させる。これにより、重ね合わせ部３１２および立ち上がり部３１３が第１桟４１から外れ、バンド１１，１２の締結が解除される。
なお、バンド１１、１２の剛性による引張り力が作用するため、プッシュボタン３２１，３２１を押すだけで第１部材３Ａと第２部材３Ｂとを意図的に大きく回動させなくても、バンド１１、１２を取り外すことができる。
【００６１】
〔６．本実施形態の効果〕
以上説明した本実施形態によれば、次のような効果を奏する。
（１）時計バンド１１，１２の中留３は、バンド１１，１２の所定位置にそれぞれ取り付けられる第１部材３Ａと第２部材３Ｂとを備え、これらの第１部材３Ａと第２部材３Ｂとを相対的に回動させるだけで、係合凸部３２２が係合凹部４３２に係合してバンド１１，１２の装着が終了するので、バンド装着の都度、所望のバンド長さで、バンド１１，１２の締結操作を簡単に行うことができる。
また、プッシュボタン３２１，３２１を押して第１部材３Ａと第２部材３Ｂとを離間する方向に回動させることにより、バンド１１，１２の締結を解除する操作も簡単に行うことができる。
そのうえ、第１部材３Ａと第２部材３Ｂとを回動させるだけで、締結および締結解除の操作が可能であり、バンド１１，１２に部分的に負荷が掛からないため、バンド１１，１２の耐久品質を向上させることができる。
【００６２】
（２）６時側バンド１１よりも腕側に１２時側バンド１２が配置され、第１部材３Ａの回動軸部（重ね合わせ部３１２および立ち上がり部３１３）を第２部材３Ｂの第１桟４１に腕とは反対側から支持させた状態で、第１部材３Ａを腕側に倒すようにして第２部材３Ｂに対して回動させることにより、係合凸部３２２が係合凹部４３２に係合される。これにより、片手で簡単にバンドの締結操作を行うことができる。
【００６３】
（３）第１桟４１と第２桟４２と各側壁４３，４３との内側にボタンユニット３０の一部が収容可能とされているので、側壁２１，２１の起立方向に沿った方向に中留３を薄型化できる。
【００６４】
（４）ボタンユニット３０が回動軸部（重ね合わせ部３１２および立ち上がり部３１３）と係合凸部３２２との両方を有しているため、回動軸部を第１取付部材２０に具備させた場合よりも回動軸部と係合凸部３２２との位置関係を正確に規律し易くなる。これによって回動操作による係合をより確実に行うことができる。
【００６５】
（５）第１部材３Ａにおいて回動軸部（重ね合わせ部３１２および立ち上がり部３１３）がバンド１１の基端部１１Ａ側に配置され、第２部材３Ｂにおいて第１桟４１がバンド１２の開放端部１２Ｂ側に配置されていることにより、回動軸部を第１桟４１に支持させた状態でバンド１１，１２同士に働く引張力が、回動軸部を第１桟４１側に押圧する方向に作用する。これにより、回動軸部が第１桟４１に安定的に支持された状態で、第１部材３Ａと第２部材３Ｂとを回動させることが可能となる。
【００６６】
（６）第１取付部材２０とボタンユニット３０との間に６時側バンド１１が介装され、第１取付部材２０とボタンユニット３０との間で突起３３がバンド１１の係合孔１１１に挿入されることにより、第１取付部材およびボタンユニットをバンドの所定位置に確実に取り付けることが可能となる。
【００６７】
（７）第２部材３Ｂは、第２取付部材４０とばね棒５０とに分解できるので、バンド１２を容易に交換することができる。
【００６８】
（８）第２取付部材４０のテーパ面４３３を介した分力により、係合凸部３２２が係合凹部４３２に円滑に挿入されるので、第１部材３Ａと第２部材３Ｂとの回動操作をより容易に行うことができる。
【００６９】
（９）薄板部材の曲げ加工により、プッシュボタン３２１と係合凸部３２２とが同じ方向に突出する構成を容易に形成できる。
また、曲げ加工で形成された係合凸部３２２の弾性により、係合凸部３２２を係合凹部４３２に係合させ易くなる。
さらに、係合凸部３２２がプッシュボタン３２１の裏側に形成されているため、係合凸部３２２が目立たない。
【００７０】
［第２実施形態］
次に、本発明の第２実施形態について図１８〜図２７を参照して説明する。本実施形態では、第１部材が有する係合凸部と、第２部材が有する係合凹部とが、第１実施形態とは異なる位置に形成されている。
図１８は、本実施形態の中留６を示し、中留６は、第１部材６Ａと、第２部材６Ｂとを備えている。
図１９は、第１部材６Ａと第２部材６Ｂとを外した状態を示す。
第１部材６Ａは、第１実施形態と同様の第１取付部材２０と、この第１取付部材２０との間に６時側バンド１１を挟むボタンユニット６０とを有して構成されている。
図２０は、本実施形態のボタンユニット６０の斜視図であり、図２１は、ボタンユニット６０の側面図である。また、図２２は、ボタンユニット６０の内部を示す。
ボタンユニット６０は、薄板の曲げ加工により形成されたボタンユニット枠６１と、厚板状のボタン部材６２，６２と、突起３３、コイルばね３４，３４とを有している。
【００７１】
本実施形態では、プッシュボタン３２１の押圧操作に連動する係合凸部６２２が、ボタン部材６２における重ね合わせ部３１２側とは反対側の側面に形成されている。
この係合凸部６２２は、ボタン部材６２の側面から略直角に突出している。また、係合凸部６２２の下面でかつボタン部材６２の先端側には、斜面としてのテーパ面６２２Ａが形成されている。
なお、本実施形態では、図２２のように、ストッパ３１１Ｃが挿入される孔３２６がボタン部材６２の厚み全体を貫通するように形成されている。
ボタンユニット枠６１の側面には、ボタンユニット枠６１の両端の開口からコイルばね３４の付勢方向に沿って切欠６１１，６１１が形成されている。各切欠６１１にそれぞれ、係合凸部６２２，６２２が挿入される。
【００７２】
図２３は、本実施形態の第２部材６Ｂを示す。第２部材６Ｂは、第１実施形態と同様のばね棒５０と、ばね棒５０によりバンド１２に取り付けられる第２取付部材７０とを備えている。
第２取付部材７０は、支持部としての第１桟４１と、延出部としての第２桟７２と、側壁７３，７３とを有して平面視略矩形状に形成されている。
本実施形態では、第２桟７２に係合凹部７２２，７２２が形成されている。
各係合凹部７２２は、第２桟７２における第１桟４１側の面に形成されたコ字状の切欠とされ、第２桟７２を厚み方向に貫通している。また、バンド１２の幅方向における係合凹部７２２の寸法は、係合凸部６２２（図２０）がバンド１２の幅方向に移動可能な寸法に設定されている。
【００７３】
図２４〜図２７を参照して、本実施形態の中留６によるバンド１１，１２の締結操作を説明する。
図２４に示すように、本実施形態においても、６時側バンド１１よりも腕側に１２時側バンド１２を配置し、ボタンユニット３０の重ね合わせ部３１２を第１桟４１の下面に引っ掛け、重ね合わせ部３１２および立ち上がり部３１３を回動中心として、第１部材６Ａを第２部材６Ｂ側に回動させる。
【００７４】
図２５は、第１取付部材２０、ボタンユニット６０、および第２取付部材７０の断面図である。第１部材６Ａを第２取付部材７０側に回動させると、第１部材６Ａにおける回動方向前方側に位置する係合凸部６２２のテーパ面６２２Ａが第２取付部材７０の係合凹部７２２の端部に当接する。
この当接の際、側壁７３の起立方向にほぼ沿った方向に作用する力の分力により係合凸部６２２がバンド１１の幅方向内側に移動しつつ、係合凹部７２２の内側面を通過し、図２６に示すように、係合凸部６２２は、コイルばね３４（図２２）のばね力によって戻り、第２桟７２の裏側で係合凹部７２２の端部に重なる。このように重なってオーバーラップ状態となることで、係合凸部６２２はコイルばね３４の付勢方向基端側から先端側に向かって係合凹部７２２に係合された状態となり、これによってバンド１１，１２が締結される。図２７も、図２６と同様に、係合凸部６２２が係合凹部７２２に係合された状態を示す。
なお、バンド１１，１２の締結を解除する際には、プッシュボタン３２１，３２１をバンド１１の幅方向内側に押して係合凸部６２２と係合凹部７２２とのオーバーラップ状態を解除し、第１部材３Ａと第２部材３Ｂとを締結時とは逆方向に回動させればよい。
【００７５】
本実施形態によれば、第１実施形態で述べた（１）〜（７）の効果に加えて、次の効果を奏する。
（１０）回動軸Ａと交差する方向において、プッシュボタン３２１の位置と揃った位置に係合凸部６２２を形成することが可能となるので、プッシュボタン３２１と係合凸部６２２とを、板状の一体のボタン部材６２の一部としてそれぞれ、簡略に形成することが可能となる。
【００７６】
（１１）係合凸部６２２のテーパ面６２２Ａを介した分力により、係合凸部６２２が係合凹部７２２に円滑に挿入されるとともに、係合凹部７２２に挿入された係合凸部６２２が係合凹部７２２の端部に重なったオーバーラップ状態となる。これにより、係合凸部６２２を係合凹部７２２に係合させ易く、かつ外れにくい構造にできる。
【００７７】
［本発明の変形例］
本発明は、以上説明した実施形態に限定されず、各種の改良および変形が可能である。
前記各実施形態では、回動軸部は重ね合わせ部３１２および立ち上がり部３１３からなり、支持部は第１桟４１から構成されていたが、回動軸部および支持部の構成は、これに限定されない。例えば、ボタンユニット枠に重ね合わせ部が形成されずに、第１桟が断面Ｌ字状などに形成されており、このＬ字の段差内側にボタンユニット枠の平面的な側面が回動可能に支持される構成でもよい。要するに、第１部材の回動軸部と第２部材の支持部とが係合して、回動軸部が回動可能に支持される構成であればよく、これらの回動軸部および支持部によって第１部材と第２部材とを相対的に回動させる際の回動軸が決まるように構成されていればよい。
なお、前記各実施形態では、回動軸部はボタンユニットに形成されていたが、回動軸部は第１取付部材に形成されていてもよい。また、回動軸上にボタンユニットと第１取付部材との両方が配置される場合は、ボタンユニットと第１取付部材との両方に回動軸部を形成することも考えられる。
また、前記実施形態における回動軸部（重ね合わせ部３１２および立ち上がり部３１３）は、回動軸Ａに沿ってボタンユニット枠３１の全長に亘って形成され、支持部としての第１桟４１も、回動軸Ａに沿って第２取付部材４０の全長に亘って形成されていたが、回動軸部と支持部が互いに係合可能である限り、回動軸部と支持部とが回動軸Ａに沿って延出している必要はない。例えば、支持部としての小片が第２取付部材の数箇所に形成されていてもよい。
【００７８】
前記各実施形態では、第１部材３Ａにおけるバンド１１の基端部１１Ａ側に回動軸部（重ね合わせ部３１２および立ち上がり部３１３）が配置され、第２部材３Ｂにおけるバンド１２の開放端部１２Ｂ側に支持部（第１桟４１）が配置されていたが、回動軸部と支持部との被締結部材に対する位置関係は、これに限らない。すなわち、第２桟４２等を支持部として、これに対応して回動軸部もボタンユニット枠におけるバンド１１の開放端部１１Ｂ側に形成されていてもよい。但し、前記各実施形態における位置関係の方が、回動操作時における回動軸部の支持が安定する。
【００７９】
さらに、回動軸部と支持部とを回動中心として第１部材と第２部材とを相対的に回動させることで係合する係合凸部と係合凹部とについても、前記各実施形態には限定されない。第１実施形態では、プッシュボタンおよび係合凸部を薄板の折り曲げによって形成していたが、これに限らず、プッシュボタンおよび係合凸部を切削などによって形成することも考えられる。
なお、第１実施形態では、第２取付部材４０の側壁４３にテーパ面４３３が形成されていたが、このような斜面が形成されるのは、係合凸部であってもよく、また、第２取付部材の側壁と係合凸部との両方に斜面が形成されていてもよい。
そして、第２実施形態では、係合凸部６２２にテーパ面６２２Ａが形成されていたが、このような斜面が形成されるのは、第２桟７２であってもよい。すなわち、第１部材と第２部材とを相対的に回動させる際に係合凸部と対向する第２桟の端部に、テーパ面６２２Ａと同様の傾きの斜面が形成されていてもよい。なお、係合凸部と第２桟との両方に斜面が形成されていてもよい。
【００８０】
ここで、第１、第２実施形態ともに、係合凸部および係合凹部の数、つまり係合箇所の数は、特に限定されない。
【００８１】
また、前記各実施形態において、バンド１１の係合孔１１１に挿入される突起３３はボタンユニットに設けられていたが、これに限らず、第１取付部材の連結部にこのような突起が形成されていてもよい。
本発明において、バンド等の被締結部材に孔が形成されていることと、この孔に挿入される突起を第１取付部材またはボタンユニットが有していることは必須構成ではないが、このように突起が孔に挿入される構成とすることにより、第１取付部材およびボタンユニットを一方の被締結部材に容易にかつ確実に固定することができる。
【００８２】
前記各実施形態では、ボタンユニット枠３１の底面から立ち上がるストッパ３１１Ｃによってボタン部材３２をボタンユニット枠３１に係止していたが、このようなストッパ３１１Ｃの代わりに、例えば、ボタンユニット枠３１からボタン部材３２の孔３２４に突出するように設けられたねじなどによって、ボタン部材３２をボタンユニット枠３１に係止してもよい。
【００８３】
なお、本発明の締結具は、被締結部材同士を締結する各種用途に利用できる。前記各実施形態のバンド１１，１２は外装ケース２にそれぞれ設けられた別部材であったが、これに限らず、バンド１１，１２は繋がった一つの部材であってもよい。
【００８４】
また、前記各実施形態では、時計バンドに適用された締結具としての中留を示したが、本発明の締結具は各種の装身具にも適用できる。
ここで、装身具としては、腰や腕などに巻くベルトやバンド、首に巻くチョーカー、衣服の留め具などが挙げられる。このほか、本発明の締結具は、鞄、袋物、履物などの各種物品にも適用できる。
【００８５】
さらに、本発明の締結具は２つの被締結部材同士を締結するが、複数の締結具を使用することによって３つ以上の被締結部材を締結することが可能となる。例えば、円弧状などの３つ以上の部品でブレスレットタイプの時計バンドが構成される場合などは、隣合う部品と部品とを本発明の締結具で締結することが可能となる。
【００８６】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００８７】
【図１】本発明の第１実施形態に係る時計および時計バンドを示す側面図。
【図２】前記実施形態における時計バンドの中留を示す斜視図。
【図３】前記実施形態の中留が備える第１部材と第２部材とを外した状態を示す図。
【図４】前記第１部材が有する第１取付部材の斜視図。
【図５】前記第１部材が有するボタンユニットの斜視図。
【図６】前記ボタンユニットの底面部を示す斜視図。
【図７】前記ボタンユニットの側面図。
【図８】前記ボタンユニットの内部を示す図。
【図９】前記ボタンユニットの一部断面側面図。
【図１０】第１取付部材およびボタンユニットの６時側バンドへの取付態様を示す図。
【図１１】第１取付部材およびボタンユニットが６時側バンドに取り付けられた状態を示す図。
【図１２】前記第２部材の分解斜視図。
【図１３】前記第２部材を１２時側バンドに取り付けた状態を示す図。
【図１４】前記実施形態の中留におけるバンドの締結操作を示す図。
【図１５】前記実施形態の中留におけるバンドの締結操作を示す時計の全体図。
【図１６】前記実施形態の中留におけるバンドの締結操作を示す一部断面側面図。
【図１７】前記実施形態の中留によってバンドが締結された状態を示す一部断面側面図。
【図１８】本発明の第２実施形態における時計バンドの中留を示す斜視図。
【図１９】前記実施形態の中留が備える第１部材と第２部材とを外した状態を示す図。
【図２０】前記第１部材が有するボタンユニットの斜視図。
【図２１】前記ボタンユニットの側面図。
【図２２】前記ボタンユニットの内部を示す図。
【図２３】前記第２部材の斜視図。
【図２４】前記実施形態の中留におけるバンドの締結操作を示す図。
【図２５】前記実施形態の中留におけるバンドの締結操作を示す断面図。
【図２６】前記実施形態の中留によってバンドが締結された状態を示す断面図。
【図２７】前記実施形態の中留によってバンドが締結された状態を示す断面図。
【符号の説明】
【００８８】
１・・・時計、２・・・外装ケース、３，６・・・中留（締結具）、３Ａ，６Ａ・・・第１部材、３Ｂ，６Ｂ・・・第２部材、１１・・・６時側バンド（一方の被締結部材）、１１Ｂ・・・開放端部、１２・・・１２時側バンド（他方の被締結部材）、１２Ｂ・・・開放端部、２０・・・第１取付部材、２１・・・側壁、２２・・・連結部、３０・・・ボタンユニット、３１・・・ボタンユニット枠、３２・・・ボタン部材、３３・・・突起、３４・・・コイルばね（付勢手段）、４０・・・第２取付部材、４１・・・第１桟（支持部）、４２・・・第２桟、４３・・・側壁、５０・・・ばね棒、６０・・・ボタンユニット、６１・・・ボタンユニット枠、６２・・・ボタン部材、７０・・・第２取付部材、７２・・・第２桟（延出部）、７３・・・側壁、１１１・・・係合孔、２１１・・・開口部、３１１・・・枠体部、３１２・・・重ね合わせ部（回動軸部を構成）、３１３・・・立ち上がり部（回動軸部を構成）、３２１・・・プッシュボタン、３２２・・・係合凸部、３２２Ａ・・・立ち上がり片、３２２Ｂ・・・折り曲げ片、４３２・・・係合凹部、４３３・・・テーパ面（斜面）、６２２・・・係合凸部、６２２Ａ・・・テーパ面（斜面）、７２２・・・係合凹部、Ａ・・・回動軸（軸）。
【図１】
2008283997.tif 000003
【図２】
2008283997.tif 000004
【図３】
2008283997.tif 000005
【図４】
2008283997.tif 000006
【図５】
2008283997.tif 000007
【図６】
2008283997.tif 000008
【図７】
2008283997.tif 000009
【図８】
2008283997.tif 000010
【図９】
2008283997.tif 000011
【図１０】
2008283997.tif 000012
【図１１】
2008283997.tif 000013
【図１２】
2008283997.tif 000014
【図１３】
2008283997.tif 000015
【図１４】
2008283997.tif 000016
【図１５】
2008283997.tif 000017
【図１６】
2008283997.tif 000018
【図１７】
2008283997.tif 000019
【図１８】
2008283997.tif 000020
【図１９】
2008283997.tif 000021
【図２０】
2008283997.tif 000022
【図２１】
2008283997.tif 000023
【図２２】
2008283997.tif 000024
【図２３】
2008283997.tif 000025
【図２４】
2008283997.tif 000026
【図２５】
2008283997.tif 000027
【図２６】
2008283997.tif 000028
【図２７】
2008283997.tif 000029